(57)【要約】【課題】風向きに影響をそれ程受けないで換気又は排煙を行い得る上に、天窓本体を確実に保持することができ、天窓本体の天窓枠体に対する離反動作を安定して円滑に行わせ得る天窓開閉装置を提供すること。【解決手段】天窓開閉装置１は、天窓開口４を囲繞するように配された天窓枠体５と、天窓開口４を開閉するように天窓枠体５に対して天窓開口４に直交するＶ方向に接近離反自在に配される天窓本体６と、天窓本体６を天窓枠体５に対してＶ方向に接近離反させる接近離反手段７と、接近離反手段７による天窓枠体５に対する天窓本体６のＶ方向の接近離反を行わせるように接近離反手段７を作動させる作動手段８と、接近離反手段７による天窓枠体５に対する天窓本体６のＶ方向の接近離反を案内するように天窓枠体５及び天窓本体６に連結されている案内連結手段９とを具備している。【選択図】図１
2011179202.tif 000002
【特許請求の範囲】
【請求項１】
天窓開口を囲繞する天窓枠体と、天窓開口を開閉するように天窓枠体に対して天窓開口に直交する方向に接近離反自在に配される天窓本体と、この天窓本体を天窓枠体に対して接近離反させる接近離反手段と、この接近離反手段による天窓枠体に対する天窓本体の接近離反を行わせるように当該接近離反手段を作動させる作動手段と、接近離反手段による天窓枠体に対する天窓本体の接近離反を案内するように天窓枠体及び天窓本体に連結されている案内連結手段とを具備しており、案内連結手段は、一端部では天窓枠体に回転自在に連結されていると共に他端部では天窓本体に直動自在であって回転自在に連結されている一方のアーム部材と、一端部では天窓枠体に直動自在であって回転自在に連結されていると共に他端部では天窓本体に回転自在に連結されており、中間部で一方のアーム部材の中間部に交差すると共に回転自在に連結されている他方のアーム部材とを具備しており、接近離反手段は、長手方向に対して交差する一方の方向に可撓であって長手方向に対して交差する他方の方向に不撓であると共に一方のアーム部材の一端部及び他方のアーム部材の他端部が配されている天窓本体及び天窓枠体の一方側に配されており、一端部で天窓本体に連結されている少なくとも二つの第一のチェーンと、長手方向に対して交差する一方の方向に可撓であって長手方向に対して交差する他方の方向に不撓であると共に一方のアーム部材の他端部及び他方のアーム部材の一端部が配されている天窓本体及び天窓枠体の他方側に配されており、一端部で天窓本体に連結されている第二のチェーンとを具備しており、作動手段は、第一及び第二のチェーンの夫々の一端部と他端部との間の中間部において当該第一及び第二のチェーンの夫々の長手方向に当該第一及び第二のチェーンの夫々に走行力を加えるようになっており、第一及び第二のチェーンの夫々は、作動手段から加えられる走行力によって天窓本体を押して天窓枠体から天窓本体を離反させるように、一端部と中間部との間で不撓状態に設定されるようになっており、第二のチェーンの数は、第一のチェーンの数よりも少ない天窓開閉装置。
【請求項２】
天窓枠体は、互いに対面して平行に伸びた一方の一対の枠部と、一方の一対の枠部に直交していると共に互いに対面して平行に伸びた他方の一対の枠部とを具備しており、天窓本体は、天窓枠体の一方の一対の枠部及び他方の一対の枠部の夫々に対応した枠部を具備しており、少なくとも二つの第一のチェーンは、天窓枠体の一方の一対の枠部の一方側に配されて当該一対の枠部の一方に対応する天窓本体の枠部に連結されており、第二のチェーンは、天窓枠体の一方の一対の枠部の他方側に配されて当該一対の枠部の他方に対応する天窓本体の枠部に連結されており、案内連結手段は、前記一方のアーム部材を一対具備していると共に前記他方のアーム部材を一対具備しており、案内連結手段の前記一対の一方のアーム部材の一方の一端部は、天窓枠体の他方の一対の枠部の一方に回転自在に連結されていると共に当該一対の一方のアーム部材の一方の他端部は、天窓枠体の他方の一対の枠部の一方に対応する天窓本体の枠部に直動自在であって回転自在に連結されており、案内連結手段の前記一対の他方のアーム部材の一方の一端部は、天窓枠体の他方の一対の枠部の一方に直動自在であって回転自在に連結されていると共に当該一対の他方のアーム部材の一方の他端部は、天窓枠体の他方の一対の枠部の一方に対応する天窓本体の枠部に回転自在に連結されており、案内連結手段の前記一対の一方のアーム部材の他方の一端部は、天窓枠体の他方の一対の枠部の他方に回転自在に連結されていると共に当該一対の一方のアーム部材の他方の他端部は、天窓枠体の他方の一対の枠部の他方に対応する天窓本体の枠部に直動自在であって回転自在に連結されており、案内連結手段の前記一対の他方のアーム部材の他方の一端部は、天窓枠体の他方の一対の枠部の他方に直動自在であって回転自在に連結されていると共に当該一対の他方のアーム部材の他方の他端部は、天窓枠体の他方の一対の枠部の他方に対応する天窓本体の枠部に回転自在に連結されている請求項１に記載の天窓開閉装置。
【請求項３】
少なくとも二つの第一のチェーンのうちの一つは、天窓枠体の他方の一対の枠部の一方側に近接して配されており、少なくとも二つの第一のチェーンのうちの他の一つは、天窓枠体の他方の一対の枠部の他方側に近接して配されており、第二のチェーンは、天窓枠体の他方の一対の枠部が互いに対向する方向に関して、少なくとも二つの第一のチェーンのうちの一つ及び他の一つ間に配されている請求項２に記載の天窓開閉装置。
【発明の詳細な説明】
【技術分野】
【０００１】
本発明は、建物の屋上等に採光、排煙、換気を行うために設置される天窓開口を開閉する天窓開閉装置に関する。
【背景技術】
【０００２】
例えば、特許文献１においては、天窓開口を囲繞する天窓枠体と、天窓開口を開閉するように天窓枠体に対して天窓開口に直交する方向に接近離反自在に配される天窓本体と、この天窓本体を天窓枠体に対して接近離反させる接近離反手段と、この接近離反手段による天窓枠体に対する天窓本体の接近離反を行わせるように当該接近離反手段を作動させる作動手段と、接近離反手段による天窓枠体に対する天窓本体の接近離反を案内するように天窓枠体及び天窓本体に連結されている案内連結手段とを具備しており、案内連結手段は、一端部では天窓枠体に回転自在に連結されていると共に他端部では天窓本体に直動自在であって回転自在に連結されている一方のアーム部材と、一端部では天窓枠体に直動自在であって回転自在に連結されていると共に他端部では天窓本体に回転自在に連結されており、中間部で一方のアーム部材の中間部に交差すると共に回転自在に連結されている他方のアーム部材とを具備しており、接近離反手段は、長手方向に対して交差する一方の方向に可撓であって長手方向に対して交差する他方の方向に不撓であると共に一端部で天窓本体に連結されている二つのチェーンを具備しており、作動手段は、チェーンの一端部と他端部との間の中間部において当該チェーンの長手方向に当該チェーンに走行力を加えるようになっており、チェーンは、作動手段から加えられる走行力によって天窓本体を押して天窓枠体から天窓本体を離反させるように、一端部と中間部との間で不撓状態に設定されるようになっている天窓開閉装置が提案されている。
【先行技術文献】
【特許文献】
【０００３】
【特許文献１】特開２００９−２７５４６２号公報
【発明の概要】
【発明が解決しようとする課題】
【０００４】
ところで、斯かる天窓開閉装置は、天窓開口を開閉するようにして建物の屋外に設置される結果、当然に強風等の自然環境に曝されることになり、これに対して十分な対策を施す必要がある。また、斯かる天窓開閉装置では、案内連結手段の一方のアーム部材の一端部では天窓枠体に回転自在に連結されていると共にその他端部では天窓本体に直動自在であって回転自在に連結されており、案内連結手段の他方のアーム部材の一端部では天窓枠体に直動自在であって回転自在に連結されていると共にその他端部では天窓本体に回転自在に連結されているために、一方のアーム部材の一端部及び他方のアーム部材の他端部が位置する側において天窓本体を天窓枠体に対して離反させるのに必要とされる力と一方のアーム部材の他端部及び他方のアーム部材の一端部が位置する側において天窓本体を天窓枠体に対して離反させるのに必要とされる力とが不均衡となって天窓本体の天窓枠体に対する離反動作を安定して円滑に行い得ない虞がある。
【０００５】
本発明は、前記諸点に鑑みてなされたものであって、その目的とするところは、風向きに影響をそれ程受けないで換気又は排煙を行い得る上に、天窓本体を確実に保持することができ、天窓本体の天窓枠体に対する離反動作を安定して円滑に行わせ得る天窓開閉装置を提供することにある。
【課題を解決するための手段】
【０００６】
本発明の天窓開閉装置は、天窓開口を囲繞する天窓枠体と、天窓開口を開閉するように天窓枠体に対して天窓開口に直交する方向に接近離反自在に配される天窓本体と、この天窓本体を天窓枠体に対して接近離反させる接近離反手段と、この接近離反手段による天窓枠体に対する天窓本体の接近離反を行わせるように当該接近離反手段を作動させる作動手段と、接近離反手段による天窓枠体に対する天窓本体の接近離反を案内するように天窓枠体及び天窓本体に連結されている案内連結手段とを具備しており、案内連結手段は、一端部では天窓枠体に回転自在に連結されていると共に他端部では天窓本体に直動自在であって回転自在に連結されている一方のアーム部材と、一端部では天窓枠体に直動自在であって回転自在に連結されていると共に他端部では天窓本体に回転自在に連結されており、中間部で一方のアーム部材の中間部に交差すると共に回転自在に連結されている他方のアーム部材とを具備しており、接近離反手段は、長手方向に対して交差する一方の方向に可撓であって長手方向に対して交差する他方の方向に不撓であると共に一方のアーム部材の一端部及び他方のアーム部材の他端部が配されている天窓本体及び天窓枠体の一方側に配されており、一端部で天窓本体に連結されている少なくとも二つの第一のチェーンと、長手方向に対して交差する一方の方向に可撓であって長手方向に対して交差する他方の方向に不撓であると共に一方のアーム部材の他端部及び他方のアーム部材の一端部が配されている天窓本体及び天窓枠体の他方側に配されており、一端部で天窓本体に連結されている第二のチェーンとを具備しており、作動手段は、第一及び第二のチェーンの夫々の一端部と他端部との間の中間部において当該第一及び第二のチェーンの夫々の長手方向に当該第一及び第二のチェーンの夫々に走行力を加えるようになっており、第一及び第二のチェーンの夫々は、作動手段から加えられる走行力によって天窓本体を押して天窓枠体から天窓本体を離反させるように、一端部と中間部との間で不撓状態に設定されるようになっており、第二のチェーンの数は、第一のチェーンの数よりも少ない。
【０００７】
本発明の天窓開閉装置によれば、天窓枠体が天窓本体に対して直交する方向に接近離反するようになっているために、天窓開口の開放において天窓枠体と天窓本体との間に方向性を有しない均等な隙間からなる通路を形成でき、斯かる通路を介して建物内から四方に排気できると共に四方から外気を建物内に取込める結果、風向きによる影響をそれ程受けないで換気又は排煙を行い得る上に、天窓本体への大きな風圧の作用を低減できて大きな回転モーメントに起因する天窓本体及びこれを支持する部材等の破損を防止し得、しかも、接近離反手段は、長手方向に対して交差する一方の方向に可撓であって長手方向に対して交差する他方の方向に不撓であると共に一方のアーム部材の一端部及び他方のアーム部材の他端部が配されている天窓本体及び天窓枠体の一方側に配されており、一端部で天窓本体に連結されている少なくとも二つの第一のチェーンと、長手方向に対して交差する一方の方向に可撓であって長手方向に対して交差する他方の方向に不撓であると共に一方のアーム部材の他端部及び他方のアーム部材の一端部が配されている天窓本体及び天窓枠体の他方側に配されており、一端部で天窓本体に連結されている第二のチェーンとを具備しており、作動手段は、第一及び第二のチェーンの夫々の一端部と他端部との間の中間部において当該第一及び第二のチェーンの夫々の長手方向に当該第一及び第二のチェーンの夫々に走行力を加えるようになっており、第一及び第二のチェーンの夫々は、作動手段から加えられる走行力によって天窓本体を押して天窓枠体から天窓本体を離反させるように、一端部と中間部との間で不撓状態に設定されるようになっているために、少なくとも二つの第一のチェーンと第二のチェーンとによって天窓本体を確実に保持することができて当該天窓本体の横揺れを軽減することができ、加えて、第二のチェーンの数は、第一のチェーンの数よりも少ないために、一方のアーム部材の一端部及び他方のアーム部材の他端部が位置する側において天窓本体を天窓枠体に対して離反させるのに必要とされる力と一方のアーム部材の他端部及び他方のアーム部材の一端部が位置する側において天窓本体を天窓枠体に対して離反させるのに必要とされる力とが不均衡となる虞をなくし得て天窓本体の天窓枠体に対する離反動作を安定して円滑に行わせ得る。
【０００８】
本発明の天窓開閉装置の好ましい例では、天窓枠体は、互いに対面して平行に伸びた一方の一対の枠部と、一方の一対の枠部に直交していると共に互いに対面して平行に伸びた他方の一対の枠部とを具備しており、天窓本体は、天窓枠体の一方の一対の枠部及び他方の一対の枠部の夫々に対応した枠部を具備しており、少なくとも二つの第一のチェーンは、天窓枠体の一方の一対の枠部の一方側に配されて当該一対の枠部の一方に対応する天窓本体の枠部に連結されており、第二のチェーンは、天窓枠体の一方の一対の枠部の他方側に配されて当該一対の枠部の他方に対応する天窓本体の枠部に連結されており、案内連結手段は、前記一方のアーム部材を一対具備していると共に前記他方のアーム部材を一対具備しており、案内連結手段の前記一対の一方のアーム部材の一方の一端部は、天窓枠体の他方の一対の枠部の一方に回転自在に連結されていると共に当該一対の一方のアーム部材の一方の他端部は、天窓枠体の他方の一対の枠部の一方に対応する天窓本体の枠部に直動自在であって回転自在に連結されており、案内連結手段の前記一対の他方のアーム部材の一方の一端部は、天窓枠体の他方の一対の枠部の一方に直動自在であって回転自在に連結されていると共に当該一対の他方のアーム部材の一方の他端部は、天窓枠体の他方の一対の枠部の一方に対応する天窓本体の枠部に回転自在に連結されており、案内連結手段の前記一対の一方のアーム部材の他方の一端部は、天窓枠体の他方の一対の枠部の他方に回転自在に連結されていると共に当該一対の一方のアーム部材の他方の他端部は、天窓枠体の他方の一対の枠部の他方に対応する天窓本体の枠部に直動自在であって回転自在に連結されており、案内連結手段の前記一対の他方のアーム部材の他方の一端部は、天窓枠体の他方の一対の枠部の他方に直動自在であって回転自在に連結されていると共に当該一対の他方のアーム部材の他方の他端部は、天窓枠体の他方の一対の枠部の他方に対応する天窓本体の枠部に回転自在に連結されている。
【０００９】
本発明の天窓開閉装置の好ましい例では、少なくとも二つの第一のチェーンのうちの一つは、天窓枠体の他方の一対の枠部の一方側に近接して配されており、少なくとも二つの第一のチェーンのうちの他の一つは、天窓枠体の他方の一対の枠部の他方側に近接して配されており、第二のチェーンは、天窓枠体の他方の一対の枠部が互いに対向する方向に関して、少なくとも二つの第一のチェーンのうちの一つ及び他の一つ間に配されている。
【発明の効果】
【００１０】
本発明の天窓開閉装置によれば、風向きに影響をそれ程受けないで換気又は排煙を行い得る上に、天窓本体を確実に保持することができ、天窓本体の天窓枠体に対する離反動作を安定して円滑に行わせ得る天窓開閉装置を提供し得る。
【図面の簡単な説明】
【００１１】
【図１】本発明の好ましい実施例の外観斜視説明図である。
【図２】図１に示す例の設置説明図である。
【図３】図１に示す例の断面説明図である。
【図４】図３に示すＩＶ−ＩＶ線矢視断面説明図である。
【図５】図３に示すＶ−Ｖ線矢視断面説明図である。
【図６】図１に示す例の断面説明図である。
【図７】図１に示す例の断面説明図である。
【図８】図１に示す例の接近離反手段の一部の拡大断面説明図である。
【図９】図１に示す例の接近離反手段の一部の図８及び図１０に示すＩＸ−ＩＸ線矢視断面説明図である。
【図１０】図１に示す例の接近離反手段の一部の図９に示すＸ−Ｘ線矢視断面説明図である。
【図１１】図１に示す例の動作説明図である。
【図１２】図１に示す例の動作説明図である。
【発明を実施するための形態】
【００１２】
次に本発明を、図に示す好ましい実施の形態の例に基づいて更に詳細に説明する。なお、本発明はこれら例に何等限定されないのである。
【実施例】
【００１３】
図１から図１０において、本例の天窓開閉装置１は、建物２の屋上３に採光、排煙及び換気用の矩形形状又は円形状等の天窓開口４を囲繞するように配された天窓枠体５と、屋上３に形成された天窓開口４を開閉するように天窓枠体５に対して天窓開口４に直交する方向（天窓開口４の開口方向）、即ち、上下方向であるＶ方向に接近離反自在に配される矩形状の天窓本体６と、天窓本体６を天窓枠体５に対してＶ方向に接近離反させる接近離反手段７と、接近離反手段７による天窓枠体５に対する天窓本体６のＶ方向の接近離反を行わせるように接近離反手段７を作動させる作動手段８と、接近離反手段７による天窓枠体５に対する天窓本体６のＶ方向の接近離反を案内するように天窓枠体５及び天窓本体６に連結されている案内連結手段９と、天窓本体６の自重に抗して天窓本体６を天窓枠体５からＶ方向に離反させる弾性力を案内連結手段９を介して天窓本体６に付与する弾性力付与手段１０と、天窓本体６による天窓開口４の閉鎖において天窓枠体５及び天窓本体６の間の隙間を封止する封止手段１１とを具備しており、接近離反手段７、作動手段８及び案内連結手段９により天窓本体６を天窓枠体５に対してＶ方向に接近離反させて天窓開口４を開閉するようになっている。
【００１４】
建物２の屋上３に下面で固定されている角筒状の天窓枠体５は、互いに対面して平行にＡ方向に伸びた一対の枠部２３及び２４と、枠部２３及び２４に直交していると共に互いに対面して平行にＢ方向に伸びた一対の枠部２１及び２２とを一体的に具備している。
【００１５】
天窓本体６は、矩形状の上枠２５と、上枠２５の上部に嵌め込まれた採光用のガラス板２６と、上枠２５の下部に嵌め込まれた角筒状の下枠２７と、上枠２５の周縁部２８に一体的に形成された雨除け用の庇部２９とを具備している。
【００１６】
下枠２７は、天窓枠体５の枠部２１及び２２に対応した枠部３１及び３２と、天窓枠体５の枠部２３及び２４に対応した枠部３３及び３４とを一体的に具備している。
【００１７】
接近離反手段７は、本例では、枠部２３側に設けられた一つの接近離反装置７ａと、枠部２４側に設けられた少なくとも二つの接近離反装置７ｂ及び７ｃとを具備している。枠部２４側の接近離反装置７ｂ及び７ｃは、Ａ方向に並んで設けられており、接近離反装置７ｂは枠部２２に近接して配置されており、接近離反装置７ｃは枠部２１に近接して配置されている。接近離反装置７ａは、Ａ方向に関して接近離反装置７ｂ及び７ｃ間に位置するように枠部２３側に設けられている。
【００１８】
接近離反装置７ａ、７ｂ及び７ｃは、夫々互いに同様に形成されており、案内連結手段９は、枠部２１側と枠部２２側との夫々に互いに同様に形成されて設けられているので、以下、接近離反装置７ｂ及び枠部２２側の案内連結手段９を詳細に説明して、接近離反装置７ａ及び７ｃ並びに枠部２１側の案内連結手段９は必要に応じて説明する。
【００１９】
枠部２４側の接近離反装置７ｂは、枠部２４の内側面４１に固着された支持板４２と、支持板４２に固着されたケース４３と、ケース４３内に案内収容されるようになっていると共に長手方向に対して交差する一方の方向であるＨ１方向（図１２参照）に可撓であって長手方向に対して交差する他方の方向であるＨ２方向（図１２参照）に対して不撓であり、一端部４４で天窓本体６に連結されているチェーン（プッシュプルチェーン）４６と、チェーン４６の一端部４４を天窓本体６に連結する連結手段４８とを具備している。
【００２０】
チェーン４６を収容するケース４３は、特に図８に示すように、チェーン４６の一端部４４を挿通させる開口５０を上壁部５１に有したケース本体５２と、ケース本体５２内に収容されたチェーン４６を案内するようにケース本体５２に設けられた案内板５３と、ケース本体５２に設けられていると共にチェーン４６の他端部５４がＲ１方向に回転自在に連結されたピン５５とを具備しており、ケース本体５２は、チェーン４６の折り返し端部が貫通する開口５６を有している。
【００２１】
チェーン４６は、突部６１を有した複数のチェーン片６２と、各チェーン片６２の間に介在されていると共にチェーン片６２にピン６３を介してＲ１０方向に回転自在に連結されており、突部６１に接触自在な突部６４を有した複数のチェーン片６５とを具備しており、チェーン片６２及びチェーン片６５のピン６３を中心としたＲ１０方向の相対的な回転でチェーン片６２の突部６１の各側端面６６の当該側端面６６に対面するチェーン片６５の突部６４の各側端面６７への接触によりＨ２方向に不撓となる。
【００２２】
連結手段４８は、枠部３４の内側面７１にねじ７２を介して取付けられていると共に突起部７３を有した連結部材７４と、連結部材７４に固着されていると共にチェーン４６の一端部４４のチェーン片６２がＲ３及びＲ４方向に回転自在に連結されたピン７５とを具備しており、連結部材７４は、その突起部７３の先端下面への一端部４４のチェーン片６２の突部６１の一方の側端面の接触により当該一端部４４のチェーン片６２のそれ以上の回転を阻止して、一端部４４のチェーン片６２の垂直方向Ｖに対する角度θ（９０°）以上のＲ４方向の回転を制限している。
【００２３】
作動手段８は、支持板４２に固着されて支持されていると共に接近離反手段７を作動させる作動源としての電磁ブレーキ付きの直流電動モータ８１と、直流電動モータ８１を制御する制御手段８２と、直流電動モータ８１の出力回転軸に連結された減速歯車機構８３と、減速歯車機構８３の出力回転軸に連結されていると共に接近離反装置７ｂのケース本体５２に玉軸受８４を介して回転自在に支持されている回転軸８５と、回転軸８５に固着されているウォームギヤ８６と、回転軸８５に対して直交して伸びていると共に接近離反装置７ｂのケース本体５２に滑り軸受８７を介して回転自在に支持されている回転軸８８と、回転軸８８に固着されていると共にウォームギヤ８６に噛合うハスバギヤ８９と、回転軸８８に固着されていると共に一端部４４と他端部５４との間のチェーン４６の中間部において案内板５３により確保されて当該チェーン４６に噛み合うスプロケットホイール９０と、一端で回転軸８５に連結されていると共に枠部２４の内側面４１に沿って伸びた中空の回転伝達軸９１と、回転伝達軸９１の他端に連結されていると共に回転軸８５に相当する回転軸９９と、接近離反装置７ｂのケース本体５２に相当すると共に枠部２４の内側面４１に支持板４２を介して固着された接近離反装置７ｃのケース本体５２内に夫々配されており、回転軸９９に固着されていると共にウォームギヤ８６に相当するウォームギヤ、回転軸８８に相当する回転軸、この回転軸に固着されているハスバギヤ８９に相当するハスバギヤ及び接近離反装置７ｃのチェーン４６の一端部４４と他端部５４との間の中間部において当該チェーン４６に噛み合うスプロケットホイール９０に相当するスプロケットホイールの夫々と、一端で回転軸９９に連結されていると共に枠部２４の内側面４１に沿って伸びた中空の回転伝達軸９１ａと、支持板４２に支持されていると共に入力回転軸に回転伝達軸９１ａの他端に連結されたベベルギヤユニット９２と、一端でベベルギヤユニット９２の出力回転軸に連結されていると共に枠部２１の内側面９３に沿って伸びた中空の回転伝達軸９４と、支持板４２に相当する支持板９８に支持されていると共に入力回転軸が回転伝達軸９４の他端に連結されたベベルギヤユニット９５と、べベルギヤユニット９５の出力回転軸に連結されていると共に回転軸８５に相当する回転軸９６と、接近離反装置７ｂのケース本体５２に相当すると共に枠部２３の内側面９７に支持板９８を介して固着された接近離反装置７ａのケース本体５２内に夫々配されており、回転軸９６に固着されていると共にウォームギヤ８６に相当するウォームギヤ、回転軸８８に相当する回転軸、この回転軸に固着されているハスバギヤ８９に相当するハスバギヤ及び枠部３３側のチェーン４６の一端部４４と他端部５４との間の中間部において当該チェーン４６に噛み合うスプロケットホイール９０に相当するスプロケットホイールの夫々とを具備している。
【００２４】
直流電動モータ８１は、制御手段８２からの給電がない場合には、自動的に電磁ブレーキを動作させてその出力回転軸を回転しないように当該回転軸を制動する一方、制御手段８２から給電される場合には、自動的に電磁ブレーキの動作を解除してその出力回転軸を回転できるように当該回転軸の制動を解除すると共にその出力回転軸を回転させるようになっている。
【００２５】
制御手段８２は、建物２内に設置される手動操作可能なスイッチ等を具備した操作盤（図示せず）と、直流電動モータ８１の過電流を検出する検出手段（図示せず）と、スイッチ等の操作による操作盤からの開命令信号により直流電動モータ８１に給電を行う一方、操作盤からの閉命令信号により直流電動モータ８１への給電を停止し、更に、検出手段からの検出結果により直流電動モータ８１の作動を停止するべく直流電動モータ８１への給電を停止するようになっている給電回路（図示せず）とを具備している。
【００２６】
検出手段は、スプロケットホイール９０のＲ２方向の一方の方向の回転によるチェーン４６のケース本体５２からの繰り出し走行において、他端部５４でピン５５を引っ張ることによるチェーン４６のそれ以上の繰り出し走行ができないでスプロケットホイール９０のＲ２方向の一方の方向の回転ができない場合に生じる直流電動モータ８１の過電流を検出して天窓本体６による天窓開口４の完全開放を検出する一方、スプロケットホイール９０のＲ２方向の他方の方向の回転によるチェーン４６のケース本体５２内への収容走行において、封止手段１１を介する天窓本体６の天窓枠体５への接触によるそれ以上の収容走行ができないでスプロケットホイール９０のＲ２方向の他方の方向の回転ができない場合に生じる直流電動モータ８１の過電流を検出して天窓本体６による天窓開口４の完全閉鎖を検出するようになっている。
【００２７】
以上の作動手段８は、制御盤からの開命令信号での直流電動モータ８１への給電による減速歯車機構８３を介する回転軸８５の一方の方向の回転で、枠部２４側では、ウォームギヤ８６、ハスバギヤ８９及び回転伝達軸９１を介して回転軸８８及び９９を一方の方向に回転させ、斯かる回転軸８８及び９９の一方の方向の回転で接近離反装置７ｂのチェーン４６に噛み合うスプロケットホイール９０及び接近離反装置７ｃのチェーン４６に噛み合うスプロケットホイールをＲ２方向の一方の方向に回転させる一方、枠部２３側では、ベベルギヤユニット９２、回転伝達軸９４及びベベルギヤユニット９５を介して回転軸９６を一方の方向に回転させ、斯かる回転軸９６の一方の方向の回転で接近離反装置７ａのスプロケットホイールを一方の方向に回転させ、而して、スプロケットホイール９０及びスプロケットホイールの夫々に噛み合った接近離反装置７ａ、７ｂ及び７ｃの夫々のチェーン４６の一端部４４と他端部５４との間の中間部においてこれらチェーン４６に天窓本体６を押して天窓枠体５から天窓本体６を離反させる当該チェーン４６の長手方向の走行力を加えて、図１１及び図１２に示すように、天窓本体６を天窓開口４の完全開放位置にもたらし、直流電動モータ８１への給電による減速歯車機構８３を介する回転軸８５及び９９の他方の方向の回転（逆回転）で、枠部２４側では、スプロケットホイール９０及び接近離反装置７ｃのチェーン４６に噛み合うスプロケットホイールを他方の方向に回転させる一方、枠部２３側では、接近離反装置７ａのチェーン４６に噛み合うスプロケットホイールを他方の方向に回転させ、而して、接近離反装置７ａ、７ｂ及び７ｃの夫々のチェーン４６の一端部４４と他端部５４との間の中間部においてこれらチェーン４６に天窓本体６を引っ張って天窓枠体５へ天窓本体６を接近させる走行力を与えて、図３に示すように、天窓本体６を天窓開口４の完全閉鎖位置にもたらすようになっている。各チェーン４６は、作動手段８から加えられる走行力によってその一端部４４で連結手段４８を介して天窓本体６を押して天窓枠体５から天窓本体６を離反させるように、一端部４４とスプロケットホイール９０及びスプロケットホイールに噛み合う中間部との間で不撓状態に設定されるようになっている。斯かる作動手段８は、直流電動モータ８１の作動により接近離反装置７ａ、７ｂ及び７ｃを機械的に同期して作動させるようになっており、直流電動モータ８１の作動により作動する接近離反装置７ａ、７ｂ及び７ｃの夫々のチェーン４６は、夫々互いに機械的に同期して伸縮動作するようになっている。
【００２８】
本例の接近離反手段７は、上述の通り、枠部２４側のチェーン４６を二つ有していると共に、枠部２３側のチェーン４６を一つ有しているが、例えば、枠部２３側のチェーン４６を二つ以上有していてもよく、斯かる場合には、枠部２４側のチェーン４６は三つ以上有することになる。このように、枠部２３側のチェーン４６の数は、枠部２４側のチェーン４６の数よりも少なくされる。尚、接近離反装置７ｂのチェーン４６は枠部２２側に近接して配されており、接近離反装置７ｃのチェーン４６は枠部２１側に近接して配されており、接近離反装置７ａのチェーン４６は、Ａ方向に関して、接近離反装置７ｂのチェーン４６と接近離反装置７ｃのチェーン４６との間に配されている。また、接近離反装置７ａのチェーン４６と接近離反装置７ｂのチェーン４６とを結ぶ線の長さは、接近離反装置７ａのチェーン４６と接近離反装置７ｃのチェーン４６とを結ぶ線の長さと等しくなってもよい。
【００２９】
案内連結手段９は、一端部１０１では天窓枠体５の枠部２２の内側面１０２に、当該枠部２２の内側面１０２に固着された支持板１０３、支持板１０３に固着された軸支持部材１０４並びに支持板１０３及び軸支持部材１０４に支持された軸部材１０５を介してＲ５方向に回転自在に連結されると共に他端部１０６では天窓本体６の下枠２７の枠部３２の下面に、当該枠部３２の下面に取付けられているレール部材１０７、レール部材１０７にＨ３方向に直動自在に案内されて移動するローラ部材１０８及びローラ部材１０８を回転自在に支持した軸部材１０９を介してＨ３方向に直動自在であってＲ６方向に回動自在に連結されているアーム部材１１０と、一端部１１１では天窓枠体５の枠部２２の内側面１０２に、当該枠部２２の内側面１０２に固着された支持板１０３、支持板１０３に取付けられているレール部材１１２、レール部材１１２にＨ４方向に直動自在に案内されて移動するローラ部材１１３及びローラ部材１１３を回転自在に支持した軸部材１１４を介してＨ４方向に直動自在であってＲ４方向に回動自在に連結されていると共に他端部１１５では天窓本体６の下枠２７の枠部３２の下面に、当該枠部３２の下面に取付けられている軸支持部材１１６及び軸支持部材１１６に支持された軸部材１１７を介してＲ８方向に回転自在に連結されており、中間部１２１でアーム部材１１０の中間部１１８に軸部材１１９を介してＲ９方向に回転自在に連結されているアーム部材１２０とを具備している。
【００３０】
案内連結手段９においては、図１１に示すように、天窓本体６の天窓枠体５からの離反で、アーム部材１１０は、軸部材１０５を介して一端部１０１を中心に回転させると共にレール部材１０７に案内されるローラ部材１０８を介して他端部１０６を直動させて立ち上がり、アーム部材１２０も、レール部材１１２に案内されるローラ部材１１３を介して一端部１１１を直動させると共に軸部材１１７を介して他端部１１５を中心に回転させて立上がり、これらの立ち上がりを軸部材１１９を介するアーム部材１１０とアーム部材１２０との連結でもって同時的に行う一方、天窓本体６の天窓枠体５への接近で、アーム部材１１０及び１２０は、夫々が倒れるように上記と逆の動作を行い、而して、案内連結手段９は、天窓本体６の天窓枠体５からのＶ方向の離反及び接近をこれらの相互位置を保って案内するようになっている。
【００３１】
弾性力付与手段１０は、天窓本体６を天窓枠体５からＶ方向に離反させる弾性力を発生させるコイルばね１３１を具備している。
【００３２】
コイルばね１３１は、一方の端部１３２で、支持板１０３に固着された係止部材１３３に回転自在に連結されており、他方の端部１３４で、アーム部材１２０の一端部１１１と中間部１２１との間の部位に固着されたピン１３５に回転自在に連結されており、天窓開口４の全閉時（図３参照）に伸びた状態になるように設定されており、縮み方向の弾性力によりアーム部材１２０を軸部材１１７を中心としてＲ８方向に回転させるようにして、斯かるアーム部材１２０の回転を介し天窓本体６を天窓枠体５から離反させるようにしている。
【００３３】
封止手段１１は、下枠２７の下部１４１の下面に貼り付けた弾性を有する気密ゴム１４２と、天窓枠体５の上面１４３に貼り付けた受け部材１４４とを具備しており、天窓開口４の閉鎖において気密ゴム１４２を受け部材１４４に押し付けて気密ゴム１４２を弾性変形させて天窓枠体５及び天窓本体６の間の隙間の気密を確保し、而して、天窓開口４を完全に閉鎖するようになっている。
【００３４】
封止手段１１は、制御手段８２が直流電動モータ８１の過電流を検出して、この過電流の検出で直流電動モータ８１を停止させるようになっているために、天窓開口４の閉鎖における気密ゴム１４２の弾性変形を確実に生じさせることができ、而して、十分な気密性をもって天窓開口４の完全な閉鎖を行い得る。
【００３５】
以上の天窓開閉装置１によれば、天窓枠体５が天窓本体６に対してＶ方向に接近離反するようになっているために、天窓開口４の開放において天窓枠体５と天窓本体６との間に方向性を有しない均等な隙間からなる通路を形成でき、斯かる通路を介して建物内から四方に排気できると共に四方から外気を建物内に取込める結果、風向きによる影響をそれ程受けないで換気又は排煙を行い得る上に、天窓本体６への大きな風圧の作用を低減できて大きな回転モーメントに起因する天窓本体６及びこれを支持する部材等の破損を防止し得る。また、天窓開閉装置１によれば、接近離反手段７は、長手方向に対して交差する一方の方向に可撓であって長手方向に対して交差する他方の方向に不撓であると共に一方のアーム部材１１０の一端部１０１及び他方のアーム部材１２０の他端部１１５が配されている天窓本体６及び天窓枠体５の一方側に配されており、一端部４４で天窓本体６に連結されている少なくとも二つの第一のチェーン４６（接近離反装置７ｂ及び７ｃのチェーン）と、長手方向に対して交差する一方の方向に可撓であって長手方向に対して交差する他方の方向に不撓であると共に一方のアーム部材１１０の他端部１０６及び他方のアーム部材１２０の一端部１１１が配されている天窓本体６及び天窓枠体５の他方側に配されており、一端部４４で天窓本体６に連結されている第二のチェーン４６（接近離反装置７ａのチェーン）とを具備しており、作動手段８は、第一及び第二のチェーン４６の夫々の一端部４４と他端部５４との間の中間部において当該第一及び第二のチェーン４６の夫々の長手方向に当該第一及び第二のチェーン４６の夫々に走行力を加えるようになっており、第一及び第二のチェーン４６の夫々は、作動手段８から加えられる走行力によって天窓本体６を押して天窓枠体５から天窓本体６を離反させるように、一端部４４と中間部との間で不撓状態に設定されるようになっているために、少なくとも二つの第一のチェーン４６と第二のチェーン４６とによって天窓本体６を確実に保持することができて当該天窓本体６の横揺れ、例えば強風時において生じ得る天窓本体６の横揺れを軽減することができ、加えて、第二のチェーン４６の数は、第一のチェーン４６の数よりも少ないために、一方のアーム部材１１０の一端部１０１及び他方のアーム部材１２０の他端部１１５が位置する側において天窓本体６を天窓枠体５に対して離反させるのに必要とされる力と一方のアーム部材１１０の他端部１０６及び他方のアーム部材１２０の一端部１１１が位置する側において天窓本体６を天窓枠体５に対して離反させるのに必要とされる力とが不均衡となる虞をなくし得、換言すれば、アーム部材１１０の一端部１０１及びアーム部材１２０の他端部１１５が天窓本体６及び天窓枠体５に夫々回転自在に連結されている一方、アーム部材１１０の他端部１０６及びアーム部材１２０の一端部１１１が天窓本体６及び天窓枠体５に夫々直動自在であって回転自在に連結されていることに起因して生じる虞がある前記不均衡をなくし得、而して、天窓本体６の天窓枠体５に対する離反動作を安定して円滑に行わせ得る。
【００３６】
制御手段８２は、直流電動モータ８１の過電流を検出し、この検出結果により直流電動モータ８１の作動を停止するようになっているが、これに代えて又はこれと共に、例えばリミットスイッチのような天窓本体６の開放状態を検出する開放検出器及び天窓本体の閉鎖状態を検出する閉鎖検出器を有していてもよく、斯かるリミットスイッチを用いる場合でも、天窓開口４の閉鎖において、気密ゴム１４２に適度な弾性変形を生じさせて直流電動モータ８１を停止させるようにするとよい。
【符号の説明】
【００３７】
１  天窓開閉装置
４  天窓開口
５  天窓枠体
６  天窓本体
７  接近離反手段
７ａ、７ｂ、７ｃ  接近離反装置
８  作動手段
９  案内連結手段
４６  チェーン
【図１】
2011179202.tif 000003
【図２】
2011179202.tif 000004
【図３】
2011179202.tif 000005
【図４】
2011179202.tif 000006
【図５】
2011179202.tif 000007
【図６】
2011179202.tif 000008
【図７】
2011179202.tif 000009
【図８】
2011179202.tif 000010
【図９】
2011179202.tif 000011
【図１０】
2011179202.tif 000012
【図１１】
2011179202.tif 000013
【図１２】
2011179202.tif 000014